(57)【要約】  無線基地局（１０）と無線通信する第１の無線機器（２０−３）が信号を送信し、無線基地局（１０）を介さない無線機器間通信を行なう第２の無線機器（２０−２）が、前記信号を受信し、受信した信号の前記無線機器間通信に対する干渉レベルが相対的に高い無線リソースの情報を、前記無線基地局（１０）に送信する。
2015194015.tif 000002
【特許請求の範囲】
【請求項１】
無線基地局と無線通信する第１の無線機器と、
前記無線基地局を介さない無線機器間通信を行なう第２の無線機器と、を備え、
前記第２の無線機器は、前記第１の無線機器が送信する信号を受信して、受信した信号の前記無線機器間通信に対する干渉レベルが相対的に高い無線リソースの情報を、前記無線基地局に送信する、無線通信システム。
【請求項２】
前記無線基地局は、
前記第２の無線機器から受信した前記無線リソースの情報に基づいて当該無線リソースを割り当てた前記第１の無線機器を特定し、
前記特定した前記第１の無線機器が前記信号の送信に用いる無線リソースを、前記無線機器間通信に用いられる無線リソースと重複しない無線リソースに制御する、請求項１に記載の無線通信システム。
【請求項３】
前記無線基地局は、
前記第２の無線機器から受信した前記無線リソースの情報に基づいて当該無線リソースを割り当てた前記第１の無線機器を特定し、
前記特定した前記第１の無線機器の識別情報を前記第２の無線機器に送信する、請求項１に記載の無線通信システム。
【請求項４】
前記第２の無線機器は、
前記無線基地局から受信した前記第１の無線機器の識別情報を用いて、前記無線基地局が前記識別情報を用いて符号化して前記第１の無線機器宛に送信した無線リソースの割当情報を復号し、前記無線機器間通信に用いる無線リソースを、前記復号の結果が示す無線リソースと重複しない無線リソースに制御する、請求項３に記載の無線通信システム。
【請求項５】
前記第１の無線機器が送信し、且つ、前記第２の無線機器が受信する前記信号は、ＰＵＳＣＨ（Physical Uplink Shared Channel）信号であり、
前記無線リソースの情報は、前記ＰＵＳＣＨ信号の送信に割り当てられる、周波数及び時間で識別されるリソースブロックの情報を含む、請求項１〜４のいずれか１項に記載の無線通信システム。
【請求項６】
前記第１の無線機器が送信し、且つ、前記第２の無線機器が受信する前記信号は、ＳＲＳ（Sounding Reference Signal）であり、
前記無線リソースの情報は、前記ＳＲＳの送信に割り当てられる、サブフレーム及びサブバンドの情報を含む、請求項１〜４のいずれか１項に記載の無線通信システム。
【請求項７】
無線基地局と無線通信する第１の無線機器が信号を送信し、
前記無線基地局を介さない無線機器間通信を行なう第２の無線機器が、前記信号を受信し、受信した信号の前記無線機器間通信に対する干渉レベルが相対的に高い無線リソースの情報を、前記無線基地局に送信する、無線通信方法。
【請求項８】
無線基地局を介さない無線機器間通信を行なう無線機器であって、
前記無線基地局と無線通信する他の無線機器が送信する信号を受信する第１受信部と、
前記第１受信部で受信した前記信号の前記無線機器間通信に対する干渉レベルが相対的に高い無線リソースを検出する検出部と、
前記検出部で検出された無線リソースの情報を前記無線基地局へ送信する送信部と、
を備えた、無線機器。
【請求項９】
前記無線基地局が前記無線リソースの情報を基に特定した、当該無線リソースを割り当てた前記他の無線機器の識別情報を前記無線基地局から受信する第２受信部を備えた、請求項８に記載の無線機器。
【請求項１０】
前記第２受信部で受信された前記識別情報を用いて、前記無線基地局が前記識別情報を用いて符号化して前記他の無線機器宛に送信した無線リソースの割当情報を復号する復号部と、
前記無線機器間通信に用いる無線リソースを、前記復号の結果が示す無線リソースと重複しない無線リソースに制御する制御部と、を備えた、請求項９に記載の無線機器。
【請求項１１】
第１の無線機器と無線通信する無線基地局であって、
前記無線基地局を介さない無線機器間通信を行なう第２の無線機器から、前記第１の無線機器が送信した信号の前記無線機器間通信に対する干渉レベルが相対的に高い無線リソースの情報を受信する受信部を備えた、無線基地局。
【請求項１２】
前記受信部で受信された前記無線リソースの情報を基に、当該無線リソースを割り当てた前記第１の無線機器を特定し、前記特定した前記第１の無線機器が前記信号の送信に用いる無線リソースを、前記無線機器間通信に用いられる無線リソースと重複しない無線リソースに制御する制御部を備えた、請求項１１に記載の無線基地局。
【請求項１３】
前記受信部で受信された前記無線リソースの情報を基に特定される、当該無線リソースを割り当てた前記第１の無線機器の識別情報を前記第２の無線機器へ送信する送信部を備えた、請求項１１に記載の無線基地局。
【発明の詳細な説明】
【技術分野】
【０００１】
本発明は、無線通信システム、無線通信方法、無線機器、及び、無線基地局に関する。
【背景技術】
【０００２】
３ＧＰＰ（3rd Generation Partnership Project）のＬＴＥ（Long Term Evolution）やＬＴＥ−Ａｄｖａｎｃｅｄの標準化において、デバイスツーデバイス（Device to Device, D2D）通信について議論されている。【０００３】
Ｄ２Ｄ通信は、無線基地局を介さずに移動局等の無線機器どうしが直接に無線通信する技術の一例である。Ｄ２Ｄ通信は、例えば、大規模災害等によって無線基地局を介した無線通信（「セルラー通信」と称してもよい。）が不能になったシナリオでの代替的あるいは補助的なパブリックセーフティ通信の一例として議論されている。
【先行技術文献】
【非特許文献】
【０００４】
【非特許文献１】RP-122009, “Study on LTE Device to Device Proximity Services”, Qualcomm, Dec. 2012.
【非特許文献２】TR36.843 V0.3.1, “Study on LTE Device to Device Proximity Services - Radio Aspects”, Nov. 2013.
【発明の概要】
【発明が解決しようとする課題】
【０００５】
しかしながら、Ｄ２Ｄ通信に関する上記議論においては、セルラー通信とＤ２Ｄ通信との間の干渉の影響について十分に検討されているとはいえない。そのため、無線通信システムとしての性能や特性、効率等（「無線通信性能」と総称してよい。）が低下することがある。【０００６】
１つの側面では、本発明の目的の１つは、無線通信性能の向上を図ることにある。
【課題を解決するための手段】
【０００７】
１つの側面において、無線通信システムは、無線基地局と無線通信する第１の無線機器と、前記無線基地局を介さない無線機器間通信を行なう第２の無線機器と、を備え、前記第２の無線機器は、前記第１の無線機器が送信する信号を受信して、受信した信号の前記無線機器間通信に対する干渉レベルが相対的に高い無線リソースの情報を、前記無線基地局に送信する。【０００８】
また、１つの側面において、無線通信方法は、無線基地局と無線通信する第１の無線機器が信号を送信し、前記無線基地局を介さない無線機器間通信を行なう第２の無線機器が、前記信号を受信し、受信した信号の前記無線機器間通信に対する干渉レベルが相対的に高い無線リソースの情報を、前記無線基地局に送信する。【０００９】
更に、１つの側面において、無線機器は、無線基地局を介さない無線機器間通信を行なう無線機器であって、前記無線基地局と無線通信する他の無線機器が送信する信号を受信する第１受信部と、前記第１受信部で受信した前記信号の前記無線機器間通信に対する干渉レベルが相対的に高い無線リソースを検出する検出部と、前記検出部で検出された無線リソースの情報を前記無線基地局へ送信する送信部と、を備える。【００１０】
また、１つの側面において、無線基地局は、第１の無線機器と無線通信する無線基地局であって、前記無線基地局を介さない無線機器間通信を行なう第２の無線機器から、前記第１の無線機器が送信した信号の前記無線機器間通信に対する干渉レベルが相対的に高い無線リソースの情報を受信する受信部を備える。
【発明の効果】
【００１１】
１つの側面として、無線通信性能の向上を図ることができる。
【図面の簡単な説明】
【００１２】
【図１】第１実施形態に係る無線通信システムの構成例を示す図である。
【図２】（Ａ）はＤ２Ｄ通信とセルラー通信とで異なる周波数リソースを用いる様子を模式的に示す図であり、（Ｂ）はＤ２Ｄ通信とセルラー通信とで同じ周波数リソースを共用する様子を模式的に示す図である。
【図３】図１に例示する無線通信システムにおいて、Ｄ２Ｄ通信を行なう移動局がセルラー通信の干渉源リソース情報を無線基地局へ送信する様子を模式的に示す図である。
【図４】ＳＲＳ送信に用いられるサブフレーム及びサブバンドの一例を示す図である。
【図５】図１及び図３に例示する無線基地局でのＰＤＣＣＨの送信信号の生成手順の一例を示す図である。
【図６】図１及び図３に例示する移動局のＰＵＳＣＨの送信タイミングを説明する図である。
【図７】図１及び図３に例示する無線基地局の構成例を示すブロック図である。
【図８】図１及び図３に例示する、Ｄ２Ｄ通信を行なう移動局の構成例を示すブロック図である。
【図９】図１及び図３に例示する、セルラー通信を行なう移動局の構成例を示すブロック図である。
【図１０】図１及び図３に例示する無線通信システムの動作（第１の干渉回避方法）を説明するためのシーケンス図である。
【図１１】（Ａ）〜（Ｄ）は、第１の干渉回避方法における干渉レベル測定及びスケジューリングの流れの一例を説明するための図である。
【図１２】第２実施形態に係る無線基地局の構成例を示すブロック図である。
【図１３】第２実施形態に係る、Ｄ２Ｄ通信を行なう移動局の構成例を示すブロック図である。
【図１４】第２実施形態に係る、セルラー通信を行なう移動局の構成例を示すブロック図である。
【図１５】第２実施形態の無線通信システムの動作（第２の干渉回避方法）を説明するためのシーケンス図である。
【発明を実施するための形態】
【００１３】
以下、図面を参照して本発明の実施の形態を説明する。ただし、以下に説明する実施形態は、あくまでも例示であり、以下に明示しない種々の変形や技術の適用を排除する意図はない。また、以下に説明する各実施形態は、適宜に組み合わせて実施しても構わない。なお、以下の実施形態で用いる図面において、同一符号を付した部分は、特に断らない限り、同一若しくは同様の部分を表す。
【００１４】
（第１実施形態）
図１は、第１実施形態に係る無線通信システムの構成例を示す図である。図１に示す無線通信システム１は、例示的に、１又は複数の無線基地局１０と、複数の移動局２０−１〜２０−Ｎ（＃１〜＃Ｎ）（Ｎは２以上の整数）と、を備える。ただし、図１には、Ｎ＝４の場合、すなわち、４台の移動局２０−１〜２０−４を例示している。移動局２０−１〜２０−Ｎを区別しなくてよい場合は、単に「移動局２０」と表記することがある。
【００１５】
無線基地局１０は、無線エリア１００を形成する。無線エリア１００内に位置する移動局２０が、無線基地局１０と無線通信することが可能である。無線基地局１００は、複数の無線エリア１００を形成してもよい。無線エリア１００は、無線基地局１０が送信する無線電波の到達範囲に応じて定まる。無線電波の最大到達範囲は、無線基地局１０の最大送信電力によって定まると捉えてよい。
【００１６】
「無線エリア」は、「セル」、「カバレッジエリア」あるいは「通信エリア」と称してもよい。「セル」は「セクタセル」に分割されていてもよい。「セル」には、マクロセルやスモールセルが含まれてよい。スモールセルは、マクロセルよりも電波到達範囲（カバレッジ）の小さいセルの一例である。スモールセルは、カバレッジエリアに応じて呼称が異なってよい。例えば、スモールセルは、「フェムトセル」、「ピコセル」、「マイクロセル」、「ナノセル」、「メトロセル」、「ホームセル」等と称されてもよい。
【００１７】
無線基地局１０は、「ベースステーション（ＢＳ）」、「ノードＢ（ＮＢ）」あるいは「evolved ＮＢ（ｅＮＢ）」と称されてもよい。
【００１８】
移動局２０は、セル１００内に位置するときに無線基地局１０と無線通信が可能な無線機器の一例である。移動局２０は、無線装置、移動端末、端末装置、又は、ユーザ機器（ＵＥ）と称されてもよい。移動局２０の一例は、携帯電話やスマートフォンである。ただし、移動局２０は、車両や航空機、船舶等の移動体に固定された無線機器であってもよい。また、無線機器には、センサネットワークを成す、無線通信機能を具備したセンサデバイスやメータ（測定器）等が含まれてよい。
【００１９】
移動局２０と無線基地局１０との間の無線通信は、「セルラー通信」と称してよい。セルラー通信の無線通信方式には、例示的に、３ＧＰＰのＬＴＥやＬＴＥ−Ａｄｖａｎｃｅｄに準拠した無線通信方式を適用してよい。あるいは、移動局２０と無線基地局１０との間の無線通信には、「Worldwide Interoperability for Microwave Access, (WiMAX)」（登録商標）等の方式に準拠した無線通信方式を適用してもよい。
【００２０】
無線基地局１０は、図１において図示を省略したコアネットワークに通信可能に接続されてよい。コアネットワークには、サービスゲートウェイ（ＳＧＷ）やパケットデータネットワークゲートウェイ（ＰＧＷ）、モビリティマネージメントエンティティ（ＭＭＥ）等が含まれてよい。コアネットワークを含む通信網は、アクセスネットワークと称されてよい。アクセスネットワークは、「Evolved Universal Terrestrial Radio Access Network, E-UTRAN」と称されてもよい。
【００２１】
無線基地局１０は、コアネットワークと例えば有線インタフェースによって接続されてよい。当該有線インタフェースは、「Ｓ１インタフェース」と称されてよい。ただし、無線基地局１０は、無線インタフェースによってコアネットワークと通信可能に接続されても構わない。
【００２２】
また、無線基地局１０は、図１において図示を省略した他の無線基地局１０と例えば有線インタフェースにより通信可能に接続されてよい。当該有線インタフェースは、「Ｘ２インタフェース」と称されてよい。ただし、無線基地局１０は、他の無線基地局と無線インタフェースにより接続されても構わない。
【００２３】
無線基地局１０は、自局１０が形成するセル１００内に位置する移動局２０との間のセルラー通信に無線リソースを割り当てる。無線リソースの割り当ては「スケジューリング」と称してもよい。移動局２０は、無線基地局１０から割り当てられた無線リソースを用いて無線基地局１０とセルラー通信を行なう。
【００２４】
無線リソースは、例示的に、時間及び周波数によって識別されてよい。例えば、無線リソースの識別は、無線通信システム１が利用可能な無線リソースを時間及び周波数によって分割した分割リソースの単位で行なわれてよい。分割リソースは、「リソースブロック（ＲＢ）」と称されてもよいし「リソースエレメント（ＲＥ）」と称されてもよい。
【００２５】
ＲＥは、無線リソース割り当ての最小単位であってよく、例示的に、１つのサブキャリアの１つのシンボルとして定義されてよい。複数のＲＥでＲＥグループ（ＲＥＧ）が構成されてよい。また、複数のＲＥで１つのＲＢが構成されてよい。例えば、周波数領域の１２サブキャリア×時間領域の７シンボル又は６シンボルで１つのＲＢが構成されてよい。無線リソースの割り当て（スケジューリング）は、ＲＢの単位で行なわれてよい。
【００２６】
移動局２０は、無線基地局１０を介さずに他の移動局２０とダイレクトに通信することが可能である。当該通信は、「Device to Device, D2D」通信、「無線機器間通信」あるいは「無線機器間直接通信」と称されてよい。図１には、例示的に、ＵＥ２０−１及びＵＥ２０−２のペアがＤ２Ｄ通信を行なう様子を模式的に例示している。
【００２７】
なお、Ｄ２Ｄ通信は、セルラー通信のインフラストラクチャが稼働しているシナリオにおいても有用である。例えば、ＵＥ２０は、遠方の無線基地局１０を介さないで直接に近隣のＵＥ２０と通信することが可能なため、ＵＥ２０の消費電力を低減可能である。また、セルラー通信のトラフィックをＤ２Ｄ通信にオフロードすることにより、コアネットワーク側の負荷を軽減することが可能である。
【００２８】
Ｄ２Ｄ通信に用いる無線リソースも、無線基地局１０が割り当ててよい。ＵＥ２０は、無線基地局１０から割り当てられた無線リソースを用いて他のＵＥ２０とＤ２Ｄ通信する。Ｄ２Ｄ通信を行なうＵＥ２０は、便宜的に「ＤＵＥ」と称されてよい。これに対して、無線基地局１０とセルラー通信を行なうＵＥ２０は、便宜的に「ＣＵＥ」と称されてよい。ＵＥ２０は、セルラー通信とＤ２Ｄ通信の双方をサポートしてよい。
【００２９】
Ｄ２Ｄ通信及びセルラー通信に用いられる無線リソース（例えば、周波数リソース）の割り当てに関しては、周波数利用効率と干渉とのトレードオフの関係がある。例えば図２（Ａ）に模式的に示すように、Ｄ２Ｄ通信とセルラー通信とで使用する周波数リソースを異ならせることとすれば、Ｄ２Ｄ通信とセルラー通信との間の干渉は生じない。しかし、使用できる周波数リソースには限りがあるため、無線通信システム１としてのシステム容量が減少する可能性がある。
【００３０】
これに対し、例えば図２（Ｂ）に模式的に示すように、Ｄ２Ｄ通信とセルラー通信とで同じ周波数リソースを共用すれば、使用できる周波数リソースは図２（Ａ）の場合よりも増やせる。しかし、Ｄ２Ｄ通信とセルラー通信とで同じ周波数リソースが割り当てられると、無線電波の干渉が生じ得る。
【００３１】
例えば、Ｄ２Ｄ通信の信号は、ＦＤＤ（Frequency Division Duplex）のセルラー通信においてアップリンク（ＵＬ）の通信に割り当てられる周波数帯域を用いて伝送されてよい。したがって、Ｄ２Ｄ通信とＵＬのセルラー通信とが干渉し得る。
【００３２】
例えば図１において、ＤＵＥ２０−１及びＤＵＥ２０−２間のＤ２Ｄ通信と、ＣＵＥ２０−３及び２０−４と無線基地局１０との間のＵＬのセルラー通信と、に同じ周波数リソースが割り当てられているとする。
【００３３】
この場合、Ｄ２Ｄ通信とセルラー通信とが距離的に近いと互いに干渉が発生し易くなる。例えば、ＣＵＥ２０−３の無線基地局１０へのＵＬ送信（送信電波）が、ＤＵＥ２０−１のＤＵＥ２０−２への送信電波に干渉する可能性がある。
【００３４】
また、ＤＵＥ２０−１のＤＵＥ２０−２への送信電波が、ＣＵＥ２０−３の無線基地局１０へのＵＬ送信（送信電波）に干渉する可能性がある。
【００３５】
更に、セルラー通信を行なっているＣＵＥ２０−４がセル端近傍に位置しているために、セルラー通信において送信電力の増加制御が実施されていると、セルラー通信がＤ２Ｄ通信に対して大きな干渉源となる。
【００３６】
干渉が発生すると、結果的に、無線通信システム１としてのシステム容量が減少する等、無線通信性能が低下する可能性がある。
【００３７】
そこで、本実施形態では、Ｄ２Ｄ通信とセルラー通信とで同じ無線リソース（例えば、周波数帯域）を共用する場合であっても、Ｄ２Ｄ通信とセルラー通信との間の干渉を回避可能にして、システム容量の増大化を図る。
【００３８】
例えば、Ｄ２Ｄ通信を行なうＤＵＥ２０は、干渉源に関する情報を無線基地局１０に送信（「通知」又は「報告」と称してもよい。）してよい。干渉源に関する情報は、例示的に、ＵＬのセルラー通信に割り当てられる無線リソースにおける干渉レベルを示す情報であってよい。
【００３９】
例えば図３に模式的に示すように、ＤＵＥ２０は、セルラー通信の信号を受信して干渉レベルを測定し、相対的に干渉レベルの高い無線リソースの情報（以下「干渉源リソース情報」と称することがある。）を無線基地局１０に報告してよい。
【００４０】
ＤＵＥ２０での干渉レベルの測定対象の信号は、例示的に、ＣＵＥ２０が、ＰＵＳＣＨ（Physical Uplink Shared Channel）にて送信する信号であってもよいし、ＣＵＥ２０が送信するＳＲＳ（Sounding Reference Signal）でもよい。
【００４１】
ＰＵＳＣＨの信号を測定対象とする場合、干渉源リソース情報は、ＰＵＳＣＨに割り当てられた無線リソース（例えば、ＲＢ）を示す情報であってよい。ＳＲＳを測定対象とする場合、干渉リソース情報は、ＳＲＳ送信に用いられる無線リソース（例えば、サブフレーム及びサブバンド）を示す情報であってよい。
【００４２】
図４に、ＳＲＳ送信に用いられるサブフレーム及びサブバンドの一例を示す。図４に例示するように、ＳＲＳは、例示的に、１サブフレーム（＝１．０ｍｓ）周期で送信されてよい。１サブフレームには、０．５ｍｓのタイムスロット（ＴＳ）が２つ時間多重されてよい。１つのＴＳには、０番〜６番の７シンボルが時間多重されてよい。シンボルは、ＯＦＤＭ（Orthogonal Frequency-Division Multiplexing）シンボルであってよい。
【００４３】
ＳＲＳは、セル単位で指定されるサブフレームにおいてＵＥ２０単位で指定されるＴＳのいずれかにて送信されてよい。別言すると、ＳＲＳの送信タイミングは、セルに個別のパラメータ（cell-specific parameter）と、ＵＥに個別のパラメータ（UE-specific parameter）とで規定されてよい。セルに個別のパラメータは、当該セル内に位置するすべてのＵＥ２０が容易に参照できる情報の一例である。
【００４４】
例示的に、ＳＲＳは、セル１００（図１参照）に対して指定された１サブフレームの最終シンボルにおいてＵＥ２０個別に指定された周波数リソースにて送信されてよい。別言すると、最終シンボルには、異なる複数のＣＵＥ２０向けのＳＲＳが周波数多重されてよい。
【００４５】
図４には、４つのＣＵＥ２０向けのＳＲＳが、１２サブキャリア（ＳＣ）から成るＲＢ単位で且つ１ＳＣおきの櫛歯（Comb）状に周波数多重される様子を例示している。したがって、図４の例での干渉レベルの測定対象は、１サブフレームの最終シンボルである。また、干渉リソース情報は、ＳＲＳが多重されているＲＢを識別する情報（例えば、ＲＢ番号）と、櫛歯状の周波数多重パターンを識別する情報（例えば、櫛歯番号（comb index））と、の組み合わせであってよい。櫛歯番号は、ＳＲＳが周波数多重されたサブバンドを識別する情報の一例であると捉えてよい。
【００４６】
無線基地局１０は、ＤＵＥ２０から受信される干渉源リソース情報に基づき、ＤＵＥ２０に対して干渉源となっているＣＵＥ（以下「干渉源ＣＵＥ」と称することがある。）２０を特定（「識別」と称してもよい）する。無線基地局１０は、どのＣＵＥ２０に対してどの無線リソースを割り当てたか（別言すると、スケジューリングしたか）を把握（管理）しているので、干渉源リソース情報を基に干渉源ＣＵＥ２０を識別できる。
【００４７】
干渉源ＣＵＥ２０が特定されると、無線基地局１０は、第１の干渉回避方法又は第２の干渉回避方法によって、セルラー通信がＤ２Ｄ通信に与える干渉を低減する。
【００４８】
第１の干渉回避方法では、無線基地局１０は、ＤＵＥ２０に割り当てた無線リソースを干渉源ＣＵＥ２０に対して割り当てないように、無線リソースの割り当て（スケジューリング）を制御する。
【００４９】
第２の干渉回避方法では、無線基地局１０は、干渉源ＣＵＥ２０の識別子を、干渉源リソース情報の送信元ＤＵＥ２０に送信（「通知」と称してもよい。）する。干渉源ＣＵＥ２０の識別子の一例は、Ｃ−ＲＮＴＩ（Cell-Radio Network Temporary Identifier）であってよい。Ｃ−ＲＮＴＩは、例示的に、セルラー通信のＵＬの送信許可情報の符号化及び復号化に用いられる。セルラー通信のＵＬの送信許可情報は、ＵＬグラント（UL grant）と称されることがある。
【００５０】
したがって、干渉源ＣＵＥ２０のＣ−ＲＮＴＩを受信したＤＵＥ２０は、当該Ｃ−ＲＮＴＩを用いて干渉源ＣＵＥ２０宛のＵＬグラントの復号を試行してよい。復号に成功すると、ＤＵＥ２０は、当該ＵＬグラントによって干渉源ＣＵＥ２０に対して無線基地局１０が割り当てた無線リソースの割当情報を検出できる。
【００５１】
検出に成功すると、ＤＵＥ２０は、当該ＣＵＥ２０に割り当てられた無線リソースを用いてはＤ２Ｄ通信を行なわない（「抑止する」と称してもよい）。ＤＵＥ２０は、ＣＵＥ２０に割り当てられた無線リソースとは異なる無線リソースにてＤ２Ｄ通信を行なってよい。なお、Ｄ２Ｄ通信のデータ伝送（Communication）では、ＰＵＳＣＨベースの信号が送受信されてよい。
【００５２】
ＵＬグラントは、例示的に、無線基地局１０からＣＵＥ２０に対してダウンリンクの制御チャネル（Physical Downlink Control Channel, PDCCH）にて送信される。「ＵＬグラント」を示す制御情報には、例示的に、ダウンリンク制御情報（ＤＣＩ）として、ＣＵＥ２０がアップリンクの共有チャネル（ＰＵＳＣＨ）を用いた送信に使用する周波数リソースの情報が含まれてよい。別言すると、「ＵＬグラント」には、ＣＵＥ２０に対するＵＬの無線リソースの割当情報が含まれてよい。なお、「ＵＬグラント」を示す制御情報のフォーマットは、「ＤＣＩフォーマット０」あるいは「ＤＣＩフォーマット４」と称されることがある。
【００５３】
図５に、無線基地局１０でのＰＤＣＣＨの送信信号の生成手順の一例を示す。図５の（１）〜（２）に例示するように、無線基地局１０は、ＤＣＩを誤り検出符号化してＤＣＩに巡回冗長検査（Cyclic Redundancy Check, CRC）符号（ビット）を付加する。
【００５４】
ＤＣＩに付加されるＣＲＣビットは、図５の（２）〜（３）に例示するように、ＰＤＣＣＨの宛先であるＣＵＥ２０の識別子（Ｃ−ＲＮＴＩ）のビット表現によりマスク処理される。
【００５５】
なお、Ｃ−ＲＮＴＩは、恒久的な識別子ではなく、例えば、ＣＵＥ２０が無線基地局１０に対して接続を要求する毎に割り当てられるような一時的な識別子の一例である。例示的に、Ｃ−ＲＮＴＩは、ＣＵＥ２０が無線基地局１０にランダムアクセスする時のランダムアクセス手順において無線基地局１０によって当該ＣＵＥ２０に割り当てられてよい。
【００５６】
Ｃ−ＲＮＴＩによってマスク処理されたＣＲＣビットが付加されたＤＣＩは、図５の（３）〜（４）に例示するように、誤り訂正符号化及びデータ変調を施され、これにより、ＰＤＣＣＨの送信信号が生成される。
【００５７】
生成されたＰＤＣＣＨの送信信号は、図５の（４）〜（５）に例示するように、他のＣＵＥ２０宛のＰＤＣＣＨの送信信号と連結され、インタリーブされた後、時間及び周波数で識別される無線リソース（ＲＥＧ）にマッピングされて送信される。
【００５８】
ＣＵＥ２０は、無線基地局１０からＰＤＣＣＨの信号を受信すべき無線リソースを無線基地局１０から知らされていなければ、既定の探索範囲（「サーチスペース」と称してよい。）で受信信号の復号を試みる。
【００５９】
ＣＵＥ２０は、復号結果に対して自身のＣ−ＲＮＴＩでＣＲＣビットのマスクを解除して誤り検出を行なう。誤りの無い復号結果が「ＵＬグラント」を示す。「ＵＬグラント」の復号に成功すると、ＣＵＥ２０は、例えば図６に例示するように、「ＵＬグラント」の受信から一定時間（例えば、４ｍｓ）経過後に、ＤＣＩに示される周波数リソースにてＰＵＳＣＨの信号を送信する。
【００６０】
このように、ＰＤＣＣＨにて送信される「ＵＬグラント」のＣＵＥ２０での復号処理には、当該ＣＵＥ２０のＣ−ＲＮＴＩでＣＲＣビットのマスクを解除する処理が含まれる。したがって、ＤＵＥ２０が、セルラー通信を行なう他のＣＵＥ２０のＣ−ＲＮＴＩを取得できれば、ＤＵＥ２０が、当該Ｃ−ＲＮＴＩを用いてＣＵＥ２０宛のＰＤＣＣＨの信号の復号を試みることで、ＣＵＥ２０宛の「ＵＬグラント」を復号できる。
【００６１】
ＣＵＥ２０宛の「ＵＬグラント」の復号に成功すれば、ＤＵＥ２０は、当該ＣＵＥ２０に割り当てられた周波数リソースを検出できる。したがって、ＤＵＥ２０は、ＣＵＥ２０に割り当てられた周波数リソースを用いたＤ２Ｄ通信を行なわないことで、Ｄ２Ｄ通信とセルラー通信との干渉を回避できる。なお、ＤＵＥ２０が、他のＣＵＥ２０宛にＰＤＣＣＨで送信されるＰＤＣＣＨの信号（ＵＬグラント）の復号を試行することは、「スニファリング」と称してもよい。
【００６２】
（第１の干渉回避方法）
以下、上述した第１の干渉回避方法を実現する、無線基地局１０、ＤＵＥ２０及びＣＵＥ２０の構成例について、図７〜図９を参照して説明する。図７は、無線基地局１０の構成例を示すブロック図であり、図８は、ＤＵＥ２０の構成例を示すブロック図であり、図９は、ＣＵＥ２０の構成例を示すブロック図である。なお、以下において、ＤＵＥ２０は、便宜的に「ＤＵＥ２０Ｄ」と表記し、ＣＵＥ２０は、便宜的に「ＣＵＥ２０Ｃ」と表記することがある。
【００６３】
（無線基地局１０の構成例）
図７に示すように、無線基地局１０は、例示的に、スケジューラ１１１、ＰＤＳＣＨ生成部１１２Ａ、ＰＤＣＣＨ（ＵＬグラント）生成部１１２Ｂ、物理チャネル多重部１１３、送信ＲＦ（Radio Frequency）部１１４、及び、送信アンテナ１１５を備える。
【００６４】
スケジューラ１１１は、無線基地局１０の動作を統括的に制御する制御部の一例、あるいは当該制御部に含まれる機能部の一例であると捉えてよい。ＰＤＳＣＨ生成部１１２Ａ、ＵＬグラント生成部１１２Ｂ、物理チャネル多重部１１３、送信ＲＦ部１１４、及び、送信アンテナ１１５は、無線基地局１０のＤＬ送信系（送信部あるいは送信機）の一例を成すと捉えてよい。
【００６５】
また、図７に例示するように、無線基地局１０は、ＵＬ受信系（受信部あるいは受信機）の一例として、受信アンテナ１２１、受信ＲＦ部１２２、及び、ＰＵＳＣＨ復調部１２３を備える。
【００６６】
スケジューラ１１１は、例示的に、Ｄ２Ｄ通信用の無線リソースの割当情報と、ＰＵＳＣＨ用の無線リソースの割当情報と、の生成をサポートする。なお、「無線リソースの割当情報」は、単に「リソース割当情報」と称してよい。
【００６７】
そのため、スケジューラ１１１は、例示的に、Ｄ２Ｄスケジューラ１１１Ａと、ＰＵＳＣＨスケジューラ１１１Ｂと、を備える。
【００６８】
Ｄ２Ｄスケジューラ１１１Ａは、例示的に、Ｄ２Ｄ通信に用いてよい無線リソースを内部的に設定する。Ｄ２Ｄスケジューラ１１１Ａは、いずれかのＵＥ２０からＤ２Ｄ通信用の無線リソースの割当要求を受信すると、Ｄ２Ｄ通信用の無線リソースの割当情報を生成する。
【００６９】
ＰＵＳＣＨスケジューラ１１１Ｂは、例示的に、ＣＵＥ２０がＰＵＳＣＨの送信に用いる無線リソース（以下「ＰＵＳＣＨリソース」と称することがある。）の割り当てを制御（スケジューリング）する。例えば、ＰＵＳＣＨスケジューラ１１１Ｂは、いずれかのＵＥ２０からＰＵＳＣＨについての送信許可要求を受信すると、ＰＵＳＣＨリソースの割当情報を生成する。
【００７０】
また、ＰＵＳＣＨスケジューラ１１１Ｂは、ＰＵＳＣＨ復調部１２３から干渉源リソース情報を受信すると、ＰＵＳＣＨリソースの割り当て履歴を参照し、ＤＵＥ２０から受信した干渉源リソース情報が示すＰＵＳＣＨリソースを割り当てた干渉源ＣＵＥ２０を特定（識別）する。なお、ＰＵＳＣＨリソースの割り当て履歴は、「ＰＵＳＣＨスケジューリング履歴」と称してもよい。「ＰＵＳＣＨスケジューリング履歴」は、例示的に、ＰＵＳＣＨスケジューラ１１１Ｂに備えられたメモリ（図示省略）に記憶されてよい。
【００７１】
干渉源ＣＵＥ２０が特定されると、ＰＵＳＣＨスケジューラ１１１Ｂは、例示的に、干渉源リソース情報の送信元ＤＵＥ２０に割り当てた無線リソースを、干渉源ＣＵＥ２０に割り当て可能な候補ＰＵＳＣＨリソースから除外する。別言すると、ＰＵＳＣＨスケジューラ１１１Ｂは、干渉源リソース情報の送信元ＤＵＥ２０に割り当てた無線リソースと、干渉源ＣＵＥ２０に割り当てるＰＵＳＣＨリソースと、の重複割り当てを禁止する。当該除外（又は禁止）の一例については後述する。
【００７２】
ＰＤＳＣＨ生成部１１２Ａは、ＰＤＳＣＨにてＤＬ送信する信号（ＰＤＳＣＨ信号）を生成する。ＰＤＳＣＨ信号は、例示的に、既述のコアネットワークから受信される、ＣＵＥ２０宛のＤＬデータ信号を基に生成される。データ信号は、「ユーザデータ」あるいは「ユーザ（Ｕ）プレーン信号」と称してもよい。
【００７３】
ＰＤＣＣＨ生成部１１２Ｂは、ＣＵＥ２０宛のＰＤＣＣＨ信号を生成する。ＰＤＣＣＨ信号には、図５に例示したようにＤＣＩ（ＵＬグラント）が含められてよい。
【００７４】
物理チャネル多重部１１３は、ＰＤＳＣＨ生成部１１２Ａ及びＰＤＣＣＨ生成部１１２Ｂで生成されたＰＤＳＣＨ信号及びＰＤＣＣＨ信号を多重化して送信ＲＦ部１１４へ出力する。
【００７５】
送信ＲＦ部１１４は、物理チャネル多重部１１３にて多重化された物理チャネルの送信信号を無線周波数（ＲＦ）の信号（無線電波）に変換（例えば、アップコンバート）し、規定の送信電力にて送信アンテナ１１５へ出力する。
【００７６】
送信アンテナ１１５は、送信ＲＦ部１１４からのＲＦ信号を空間に放射する。
【００７７】
受信アンテナ１２１は、いずれかのＵＥ２０が空間に放射した無線電波（別言すると、ＵＬのＲＦ信号）を受信して受信ＲＦ部１２２へ出力する。
【００７８】
受信ＲＦ部１２２は、受信アンテナ１２１で受信されたＵＬのＲＦ信号を例えばベースバンド周波数の信号（以下「ＢＢ信号」と略称することがある。）に変換（例えば、ダウンコンバート）してＰＵＣＣＨ復調部１２３へ出力する。
【００７９】
ＰＵＳＣＨ復調部１２３は、受信ＲＦ部１２２からのＢＢ信号に対して復調処理を施して例えばＰＵＳＣＨ信号を得る。ＰＵＳＣＨ信号には、例示的に、コアネットワークへ送信されるユーザデータが含まれてよい。また、ＰＵＳＣＨ信号には、Ｄ２Ｄ通信用のリソース割当要求が含まれてよい。復調されたリソース割当要求は、例示的に、Ｄ２Ｄスケジューラ１１１Ａに与えられる。
【００８０】
更に、ＰＵＳＣＨ信号には、既述の干渉源リソース情報が含まれてよい。干渉源リソース情報は、例示的に、スケジューラ１１１（例えば、Ｄ２Ｄスケジューラ１１１Ｂ）に与えられてよい。したがって、受信ＲＦ部１２２及びＰＵＳＣＨ復調部１２３は、Ｄ２Ｄ通信を行なうＤＵＥ２０から干渉源リソース情報を受信する受信部の一例であると捉えてよい。
【００８１】
なお、送信アンテナ１１５と受信アンテナ１２１とは、例えばアンテナ共用器を用いてＤＬとＵＬとで共用の送受信アンテナとして構成されてもよい。この場合、送信ＲＦ部１１４と受信ＲＦ部１２２とは、送受信ＲＦ部として共通化（あるいは一体化）されても構わない。
【００８２】
また、各部１１１，１１２Ａ，１１２Ｂ，１１３，１１４，１２２及び１２３の一部又は全部は、ＣＰＵやＭＰＵ、ＦＰＧＡ等の演算能力を備えた演算装置によって具現されてよい。当該演算装置は、「ハードウェアプロセッサ」あるいは「プロセッサデバイス」と称してもよい。
【００８３】
（ＤＵＥ２０Ｄの構成例）
図８に示すＤＵＥ２０Ｄは、セルラー通信とＤ２Ｄ通信とをサポートし、例示的に、図３のＤＵＥ２０−１又は２０−２に相当する。図８に例示するように、ＤＵＥ２０Ｄは、受信アンテナ２１１〜２１３、送信アンテナ２１４，２１５、受信ＲＦ部２２１〜２２３、及び、送信ＲＦ部２２４，２２５を備える。また、図８のＤＵＥ２０Ｄは、例示的に、ＰＤＳＣＨ復調部２３１、干渉源リソース検出部２４１、及び、ＰＵＳＣＨ生成部２４２を備える。
【００８４】
更に、図８のＤＵＥ２０Ｄは、例示的に、Ｄ２Ｄデータ信号復調部２５１、ＤＳ検出部２５２、ＤＳ応答検出部２５３、スケジューラ２６１、ＤＳ応答生成部２６２、ＤＳ生成部２６３、Ｄ２Ｄデータ信号生成部２６４、及び、切替部２６５を備える。
【００８５】
なお、「ＤＳ」は、「ディスカバリ信号」の略称である。ＤＳは、Ｄ２Ｄ通信を行なうＤＵＥ２０を探索（ディスカバリ）するために送信される信号の一例である。ＤＳは、例示的に、ＣＵＥ２０に共通の識別子（cell-specific ID）に基づいて生成され、ＣＵＥ２０に共通の無線リソースにて送信されてよい。
【００８６】
ＤＳには、Ｄ２Ｄ通信の無線リンクを確立するための信号の一例として、ＤＵＥ２０どうしで既知の信号との相関検出用信号（「シーケンス」と称されることがある。）が含まれてよい。ＤＳには、シーケンスに付随する情報の一例として制御情報を伝送する信号（「メッセージ」と称されることがある。）が含まれてよい。
【００８７】
「シーケンス」のフォーマットには、例示的に、物理ランダムアクセスチャネル（Physical Random Access Channel, PRACH）やＳＲＳ（Sounding Reference Signal）のフォーマットを利用してよい。「メッセージ」のフォーマットには、例示的に、ＰＵＳＣＨのフォーマットを利用してよい。「メッセージ」を用いて伝送される制御情報は、例示的に、１００ビット程度の情報量であってよい。「シーケンス」と「メッセージ」とは、異なる物理チャネルにて送信されてよい。
【００８８】
受信アンテナ２１１は、セルラー通信におけるＤＬのＲＦ信号を受信して受信ＲＦ部２２１へ出力する。
【００８９】
受信ＲＦ部２２１は、受信アンテナ２１１で受信されたＤＬのＲＦ信号を例えばＢＢ信号にダウンコンバートしてＰＤＳＣＨ復調部２３１に出力する。
【００９０】
ＰＤＳＣＨ復調部２３１は、受信ＲＦ部２２１からのＢＢ信号に対して復調処理を施すことによりＰＤＳＣＨ信号を復調する。復調したＰＤＳＣＨ信号がＤ２Ｄ通信用のリソース割当情報を示す場合、当該リソース割当情報は、スケジューラ２６１に与えられる。なお、Ｄ２Ｄ通信用のリソース割当情報が周波数リソースの割当情報である場合、当該割当情報は、「Ｄ２Ｄキャリア情報」と称してもよい。
【００９１】
受信アンテナ２１２は、セルラー通信におけるＵＬのＲＦ信号を受信して受信ＲＦ部２２２へ出力する。
【００９２】
受信ＲＦ部２２２は、受信アンテナ２２１で受信されたＵＬのＲＦ信号を例えばＢＢ信号にダウンコンバートして干渉源リソース検出部２４１に出力する。受信ＲＦ部２２２は、無線基地局１０とセルラー通信するＣＵＥ２０が送信する信号を受信する第１受信部の一例であると捉えてよい。
【００９３】
干渉源リソース検出部２４１は、受信ＲＦ部２２２から入力されたＢＢ信号について干渉レベルの測定を行ない、相対的に干渉レベルの高い無線リソースを検出し、検出した無線リソースを識別可能な干渉源リソース情報を生成する。干渉源リソース情報は、例示的に、ＰＵＳＣＨ生成部２４２に与えられる。
【００９４】
例えば、干渉源リソース検出部２４１は、ＵＬのセルラー通信の受信信号の干渉レベルをＰＵＳＣＨに割り当てられた周波数リソース毎に測定してよい。干渉レベルは、干渉電力（「セルラー干渉電力」）として測定されてもよいし、Ｄ２Ｄ通信のデータ信号の受信信号品質を示す指標として測定されてもよい。受信信号品質の指標の非限定的な一例としては、ＳＩＮＲ（Signal to Interference plus Noise Ratio）やＳＩＲ（Signal to Interference Ratio）、ＳＮＲ（Signal to Noise Ratio）、ＲＳＳＩ（Receive Signal Strength Indication）、ビットエラーレート（ＢＥＲ）等が挙げられる。
【００９５】
セルラー干渉電力を測定する場合、セルラー干渉電力が所定の電力閾値以上の周波数リソースを干渉源リソースとして検出してよい。ＳＩＮＲは、Ｄ２Ｄ通信におけるＤ２Ｄデータ信号の受信電力を、セルラー干渉電力で除することで求めてよい。ＳＩＮＲが、所定の閾値以下である周波数リソースを干渉源リソースとして検出してよい。
【００９６】
検出される干渉源リソースは、１つのサブフレームにおける１又は複数のＲＢに対応することもあるし、複数のサブフレームにおける１又は複数のＲＢに対応することもある。したがって、干渉源リソース情報は、ＲＢ番号、又は、サブフレーム番号及びＲＢ番号の組み合わせによって表示されてよい。あるいは、干渉源リソース情報は、干渉源リソースに対応するＲＢ番号をビットマップ形式で表示した情報であってもよい。
【００９７】
受信アンテナ２１３は、Ｄ２Ｄ通信において他のＤＵＥ２０Ｄが送信したＲＦ信号を受信して受信ＲＦ部２２３へ出力する。
【００９８】
受信ＲＦ部２２３は、受信アンテナ２２３で受信されたＤ２Ｄ通信の受信ＲＦ信号を例えばＢＢ信号にダウンコンバートして、Ｄ２Ｄデータ信号復調部２５１と、ＤＳ検出部２５２と、ＤＳ応答検出部２５３とに出力する。
【００９９】
Ｄ２Ｄデータ信号復調部２５１は、受信ＲＦ部２２３から入力されたＢＢ信号を復調してＤ２Ｄ通信のデータ信号を得る。Ｄ２Ｄ通信が既述のようにＰＵＳＣＨを用いて実施される場合、Ｄ２Ｄデータ信号復調部２５１は、ＰＵＳＣＨ信号を復調するＰＵＳＣＨ復調部２５１であってよい。
【０１００】
ＤＳ検出部２５２は、受信ＲＦ部２２３から入力されたＢＢ信号からＤＳを検出する。当該ＤＳは、例示的に、Ｄ２Ｄ通信のペアを成すＤＵＥ２０Ｄを探索するために他のＤＵＥ２０ＤがＤＳ生成部２６３によって生成し送信したＤＳに相当する。ＤＳ検出部２５２でのＤＳの検出に応じて、ＤＳ応答生成部２６２によってＤＳ応答信号が生成される。
【０１０１】
ＤＳ応答検出部２５３は、受信ＲＦ部２２３にて受信された信号から、ＤＳ生成部２６３によって生成され他のＤＵＥ２０宛に送信されたＤＳに対するＤＳ応答信号を検出する。ＤＳ応答信号が検出されたことは、例示的に、スケジューラ２６１に通知される。ＤＳ応答信号の検出に応じて、他のＤＵＥ２０とのＤ２Ｄ通信のペアが形成される。
【０１０２】
スケジューラ２６１は、セルラー通信とＤ２Ｄ通信とを制御する制御部の一例である。例示的に、スケジューラ２６１は、Ｄ２Ｄ通信用のリソース割当要求をＰＵＳＣＨ生成部２４２に送信する。ＰＵＳＣＨ生成部２４２は、当該リソース割当要求の受信に応じて、当該リソース割当要求を含む、無線基地局１０宛のＰＵＳＣＨ信号を生成する。
【０１０３】
また、スケジューラ２６１は、上述したＤ２Ｄ通信用のリソース割当要求に対する応答としてのリソース割当情報がＰＤＳＣＨ復調部２３１にて復調されると、当該リソース割当情報をＰＤＳＣＨ復調部２３１から受信する。スケジューラ２６１は、当該リソース割当情報の示す周波数リソースにてＤ２Ｄ通信が行なわれるよう、Ｄ２Ｄデータ信号復調部２５１及びＤ２Ｄデータ信号生成部２６４を制御する。
【０１０４】
ＰＵＳＣＨ生成部２４２は、セルラー通信におけるＵＬデータ信号を含むＰＵＳＣＨ信号を生成して送信ＲＦ部２２４へ出力する。ＰＵＳＣＨ信号にて、スケジューラ２６１から受信された、Ｄ２Ｄ通信用のリソース割当要求が送信されてよい。また、ＰＵＳＣＨ生成部２４２は、干渉源リソース検出部２４１で検出された干渉源リソース情報を含むＰＵＳＣＨ信号を生成して送信ＲＦ部２２４へ出力する。
【０１０５】
送信ＲＦ部２２４は、ＰＵＳＣＨ生成部２４２で生成された、ベースバンド周波数のＰＵＳＣＨ信号をＲＦ信号に変換（アップコンバート）して送信アンテナ２１４に出力する。ＰＵＳＣＨ生成部２４２及び送信ＲＦ部２２４は、干渉源リソース検出部２４１で検出された干渉源リソース情報を無線基地局１０へ送信する送信部の一例であると捉えてよい。
【０１０６】
送信アンテナ２１４は、送信ＲＦ部２２４からのＲＦ信号を空間へ放射する。
【０１０７】
ＤＳ生成部２６３は、Ｄ２Ｄ通信のペアを成す他のＤＵＥ２０Ｄを探索するためのＤＳを生成する。当該ＤＳは、他のＤＵＥ２０ＤのＤＳ検出部２５２にて検出される。
【０１０８】
Ｄ２Ｄデータ信号生成部２６４は、例えばスケジューラ２６１から受信したデータ信号を含むＤ２Ｄ通信の送信データ信号を生成する。Ｄ２Ｄ通信が既述のようにＰＵＳＣＨを用いて実施される場合、Ｄ２Ｄデータ信号生成部２５１は、ＰＵＳＣＨ信号を生成するＰＵＳＣＨ生成部２５１であってよい。
【０１０９】
切替部２６５は、例えばスケジューラ２６１による制御に応じて、ＤＳ応答生成部２６２、ＤＳ生成部２６３及びＤ２Ｄデータ信号生成部２６４の出力のいずれかを選択的に送信ＲＦ部２２５に出力する。切替部２６５がスケジューラ２６１によって切り替え制御されることで、Ｄ２Ｄ通信（送信）が制御される。
【０１１０】
送信ＲＦ部２２５は、切替部２６５の出力信号であるＢＢ信号をＲＦ信号に変換（アップコンバート）して送信アンテナ２１５に出力する。
【０１１１】
送信アンテナ２１５は、送信ＲＦ部２２５からのＲＦ信号を空間へ放射する。
【０１１２】
なお、セルラー通信のＤＬの受信アンテナ２１１及びＵＬの受信アンテナ２１２と、Ｄ２Ｄ通信の受信アンテナ２１３と、のいずれか又は全部は、１つの受信アンテナとして共用化（一体化）されてよい。同様にして、セルラー通信のＤＬの受信ＲＦ部２２１及びＵＬの受信ＲＦ部２２２と、Ｄ２Ｄ通信の受信ＲＦ部２２３と、のいずれか又は全部は、１つの受信ＲＦ部として共用化されてよい。
【０１１３】
また、セルラー通信のＵＬの送信アンテナ２１４とＤ２Ｄ通信の送信アンテナ２１５とは、１つの送信アンテナとして共用化されてよい。同様にして、セルラー通信のＵＬの送信ＲＦ部２２４とＤ２Ｄ通信の送信ＲＦ部２２５とは、１つの送信ＲＦ部として共用化されてよい。
【０１１４】
更に、受信アンテナ２１１〜２１３並びに送信アンテナ２１４及び２１５の一部又は全部は、１つの送受信アンテナとして共用化されてよい。同様にして、受信ＲＦ部２２１〜２２３並びに送信ＲＦ部２２４及び２２５の一部又は全部は、１つの送受信ＲＦ部として共用化されてよい。
【０１１５】
また、各部２２１〜２２５，２３１，２４１，２４２，２５１〜２５３及び２６１〜２６５の一部又は全部は、ＣＰＵやＭＰＵ、ＦＰＧＡ等の演算能力を備えたハードウェアプロセッサと称してもよい。
【０１１６】
（ＣＵＥ２０Ｃの構成例）
図９は、セルラー通信をサポートするＣＵＥ２０Ｃの構成例を示すブロック図である。図９に例示するＣＵＥ２０Ｃは、例えば図３のＣＵＥ２０−３に相当し、ＣＵＥ２０−１及び２０−２間のＤ２Ｄ通信に対する干渉源となるＵＥの一例である。
【０１１７】
図９に示すＣＵＥ２０Ｃは、例示的に、受信アンテナ２１１、受信ＲＦ部２２１、ＰＤＣＣＨ復調部２３２、及び、ＰＤＳＣＨ復調部２３１を備える。また、図９に示すＣＵＥ２０Ｃは、例示的に、送信アンテナ２１４、送信ＲＦ部２２４、及び、ＰＵＳＣＨ生成部２４２を備える。
【０１１８】
受信アンテナ２１１及び受信ＲＦ部２２１は、図８に例示したＤＵＥ２０Ｄの受信アンテナ２１１及び受信ＲＦ部２２１と同一若しくは同様の機能を具備する。
【０１１９】
ＰＤＣＣＨ復調部２３２は、受信ＲＦ部２２１からのＢＢ信号に対して復調処理を施すことによりＰＤＣＣＨ信号を復調する。当該復調処理には、誤り訂正復号化等の復号処理が含まれてよい。復調したＰＤＣＣＨ信号がセルラー通信におけるＰＵＳＣＨ用のリソース割当情報を示す場合、当該リソース割当情報は、ＰＵＳＣＨ生成部２４２に与えられる。
【０１２０】
ＰＵＳＣＨ生成部２４２は、ＰＵＳＣＨ用のリソース割当情報によって示されるＰＵＳＣＨリソースにて送信するＰＵＳＣＨ信号を生成する。ＰＵＳＣＨ信号には、例示的に、セルラー通信におけるＵＬデータ信号が含まれる。
【０１２１】
送信ＲＦ部２２４は、ＰＵＳＣＨ生成部２４２で生成された、ＰＵＳＣＨ信号をＲＦ信号に変換（アップコンバート）して送信アンテナ２１４に出力する。
【０１２２】
送信アンテナ２１４は、送信ＲＦ部２２４からのＲＦ信号を空間へ放射する。
【０１２３】
なお、受信アンテナ２１１と送信アンテナ２１４とは、１つの送受信アンテナとして共用化されてよい。同様にして、受信ＲＦ部２２１と送信ＲＦ部２２４とは、１つの送受信ＲＦ部として共用化されてよい。また、各部２２１，２２４，２３２及び２４２の一部又は全部は、ＣＰＵやＭＰＵ、ＦＰＧＡ等の演算能力を備えたハードウェアプロセッサによって具現されてよい。
【０１２４】
（動作例）
以下、上述のごとく構成された無線通信システム１における、セルラー通信とＤ２Ｄ通信との干渉回避方法の一例について、図１０に例示するシーケンス図を参照して説明する。
【０１２５】
無線基地局１０は、予めＤ２Ｄ通信用の周波数リソースの設定を行なう（処理Ｐ１１）。当該設定は、図７に例示したスケジューラ１１１（Ｄ２Ｄスケジューラ１１１Ａ）によって実施されてよい。
【０１２６】
図１０には、非限定的な一例として、１０個のＲＢ＃０〜＃９がＤ２Ｄ通信に利用可能な周波数リソースに設定される様子を例示している。Ｄ２Ｄ通信用の周波数リソースは、単に「Ｄ２Ｄリソース」と称してもよい。
【０１２７】
Ｄ２Ｄリソースの設定完了後に、例えばＤＵＥ＃１が、Ｄ２Ｄリソースの割当要求を無線基地局１０に送信したとする（処理Ｐ１２）。Ｄ２Ｄリソースの割当要求は、例えば、図８に例示したスケジューラ２６１及びＰＵＳＣＨ生成部２４２を通じて送信アンテナ２１４からＰＵＳＣＨにて送信される。
【０１２８】
無線基地局１０は、ＤＵＥ＃１が送信したＤ２Ｄリソースの割当要求をＰＵＳＣＨ復調部１２３にて受信、復調し、復調したＤ２Ｄリソースの割当要求をＤ２Ｄスケジューラ１１１Ａに与える。Ｄ２Ｄスケジューラ１１１Ａは、Ｄ２Ｄリソースの割当要求の受信に応じて、Ｄ２Ｄ通信リソースに設定したＲＢ＃０〜ＲＢ＃９のうちのいずれか（例示的に、ＲＢ＃１）をＤＵＥ＃１に対して割り当てることを決定する（処理Ｐ１３）。
【０１２９】
なお、Ｄ２Ｄリソースの割り当ては、動的でもよいが、無線基地局１０とＤＵＥ２０との間の通信量をなるべく抑えるために、「準静的」であってよい。「準静的」とは、静的（固定）でなくてよいが「動的」ほどの頻度で変更されないことを意味する、と捉えてよい。
【０１３０】
ＲＢ＃１の割り当て決定に応じて、無線基地局１０は、ＲＢ＃１のリソース割当情報を例えばＰＤＳＣＨにてＤＵＥ＃１宛に送信する（処理Ｐ１４）。当該リソース割当情報を含むＰＤＳＣＨ信号は、例えば図７に例示したＰＤＳＣＨ生成部１１２Ａによって生成される。当該リソース割当情報のＰＤＳＣＨ信号による送信は、無線リソース制御（ＲＲＣ）の一例であると捉えてよい。
【０１３１】
ＤＵＥ＃１は、Ｄ２Ｄリソース（ＲＢ＃１）のリソース割当情報を受信した後、ＤＳ生成部２６３（図８参照）によってＤＳを生成して送信する（処理Ｐ１５）。当該ＤＳは、図１０の例では、ＤＵＥ＃２にて受信される。
【０１３２】
ＤＵＥ＃２は、当該ＤＳをＤＳ検出部２５２（図８参照）にて検出すると、ＤＳ応答生成部２６２によってＤＳ応答信号を生成してＤＵＥ＃１宛に送信する（処理Ｐ１６）。ＤＵＥ＃１は、ＤＳ応答信号の受信をＤＳ応答検出部２５３にて検出すると、当該ＤＳ応答信号の送信元ＤＵＥ＃２とＤ２Ｄ通信のペアを形成する。
【０１３３】
一方、無線基地局１０とセルラー通信を行なうＣＵＥ＃３は、ＵＬグラントの送信要求を無線基地局１０へ送信する。無線基地局１０は、ＣＵＥ＃３からＵＬグラントの送信要求を受信すると、ＰＵＳＣＨスケジューラ１１１Ｂ（図７参照）によって、当該ＣＵＥ＃３がＵＬ送信に使用してよい周波数リソースの割り当てを決定する（処理Ｐ１７）。図１０の例では、ＲＢ＃１がＣＵＥ＃３に割り当てられることを例示している。
【０１３４】
ＣＵＥ＃３に割り当てる周波数リソースＲＢ＃１が決定すると、無線基地局１０は、ＲＢ＃１を示すリソース割当情報を含むＵＬグラントをＵＬグラント生成部１１２Ｂ（図７参照）によって生成して例えばＰＤＣＣＨにてＣＵＥ＃３宛に送信する（処理Ｐ１８）。
【０１３５】
ＣＵＥ＃３は、ＰＤＣＣＨ復調部２３２（図９参照）によりＵＬグラントの受信、復調及び復号に成功すると、図６に例示したように４ｍｓ後に、当該ＵＬグラントが示すＲＢ＃１を用いてＵＬ送信（ＰＵＳＣＨ信号の送信）を行なう（処理Ｐ１９）。
【０１３６】
ここで、ＣＵＥ＃３が送信するＰＵＳＣＨ信号は、ＤＵＥ＃１−ＤＵＥ＃２間のＤ２Ｄ通信の干渉となり得る。例えば、ＤＵＥ＃２は、Ｄ２Ｄ通信に対する、ＣＵＥ＃３が送信するＰＵＳＣＨ信号の干渉レベルを測定し、相対的に干渉レベルの高い干渉源リソースを干渉源リソース検出部２４１（図８参照）にて検出する（処理Ｐ２０）。
【０１３７】
図１０の例では、ＲＢ＃１が干渉源リソースとして検出されるので、ＤＵＥ＃２は、ＲＢ＃１を示す干渉源リソース情報を例えばＰＵＳＣＨにて無線基地局１０に報告する（処理Ｐ２１）。干渉源リソース情報を含むＰＵＳＣＨ信号は、図８に例示したＰＵＳＣＨ生成部２４２にて生成される。
【０１３８】
無線基地局１０は、図７に例示したＰＵＳＣＨ復調部１２３にて干渉源リソース情報（ＲＢ＃１）を受信、復調すると、当該干渉源リソース情報をスケジューラ１１１（ＰＵＳＣＨスケジューラ１１１Ｂ）に与える。ＰＵＳＣＨスケジューラ１１１Ｂは、ＰＵＳＣＨリソースの割り当て履歴を参照して、干渉源リソース情報が示すＲＢ＃１を割り当てたＣＵＥ＃３を特定する（処理Ｐ２２）。当該ＣＵＥ＃３は、ＤＵＥ＃１−ＤＵＥ＃２間のＤ２Ｄ通信に対する干渉源ＣＵＥ＃３である。
【０１３９】
干渉源ＣＵＥ＃３が特定されると、ＰＵＳＣＨスケジューラ１１１Ｂは、処理Ｐ１３でＤ２Ｄ通信用に割り当てたＲＢ＃１と重複しないＰＵＳＣＨリソース（例えば、ＲＢ＃２）を選んでＣＵＥ＃３に割り当てる（処理Ｐ２３）。
【０１４０】
ここで、図１１（Ａ）〜図１１（Ｄ）を参照して、上述した干渉レベル測定及びスケジューリングの流れの一例を説明する。なお、図１１（Ａ）〜図１１（Ｄ）には、干渉レベル測定を行なうＤＵＥ２０がＤＵＥ＃０であり、９台のＣＵＥ＃０〜＃８に対するＰＵＳＣＨリソース（ＲＢ＃０〜ＲＢ＃８）のスケジューリングが行なわれる例を図示している。なお、ＲＢ＃０〜ＲＢ＃８は、セルラー通信とＤ２Ｄ通信とで共用される無線リソースの一例である。
【０１４１】
図１１（Ａ）に例示するように、ＤＵＥ＃０（図１０のＤＵＥ＃２に相当）は、干渉源リソース検出部２４１（図８参照）によって、サブフレーム番号＃ｎ（ｎは１以上の整数）の干渉レベル（例えば、ＳＩＲ）測定を行なう。
【０１４２】
当該測定の結果を基に、干渉源リソース検出部２４１は、図１１（Ｂ）に例示するように、ＳＩＲが閾値（例えば、０ｄＢ）以下のＲＢを干渉源リソースとして検出する。図１１（Ｂ）の例では、ＲＢ＃１、ＲＢ＃３、ＲＢ＃４及びＲＢ＃８が、それぞれＳＩＲの閾値以下（ＮＧ）である干渉源リソースとして検出されている。
【０１４３】
したがって、ＤＵＥ＃０は、ＲＢ＃１、ＲＢ＃３、ＲＢ＃４及びＲＢ＃８を示す干渉源リソース情報を無線基地局１０へ報告する。
【０１４４】
無線基地局１０は、当該干渉源リソース情報を受信すると、ＰＵＳＣＨスケジューラ１１１Ｂによって、図１１（Ｃ）に例示するような、サブフレーム＃ｎのスケジューリング履歴を基に、ＤＵＥ＃０にとっての干渉源ＣＵＥ２０を特定する。図１１（Ｃ）の例では、ＲＢ＃１を割り当てたＣＵＥ＃３、ＲＢ＃３を割り当てたＣＵＥ＃７、ＲＢ＃４を割り当てたＣＵＥ＃２、及び、ＲＢ＃８を割り当てたＣＵＥ＃８が、それぞれ、ＤＵＥ＃０に対する干渉源ＣＵＥ２０として特定される。
【０１４５】
ＰＵＳＣＨスケジューラ１１１Ｂは、図示を省略したメモリに、図１１（Ｄ）に例示するような、どのＣＵＥ２０に対してどのＲＢを割り当ててよいか（別言すると、どのＣＵＥ２０に対してはどのＲＢの割り当てが禁止されるか）を示すデータを記憶している。当該データは、テーブル形式（「リスト形式」と称してもよい。）のデータとしてメモリに記憶されてよく、そのようなデータは、「送信許可リスト」あるいは「送信禁止リスト」と称してよい。
【０１４６】
ＰＵＳＣＨスケジューラ１１１Ｂは、上述したようにスケジューリング履歴を基に特定した干渉源ＣＵＥ２０に対して、Ｄ２Ｄ通信に割り当てたＲＢが割り当てられないように送信禁止リストを更新する。例えば図１１（Ｄ）の送信禁止リストにおいて、Ｄ２Ｄ通信の「割当結果」が示すＤＵＥ＃０に割り当てられたＲＢ＃１に着目すると、ＣＵＥ＃０〜＃８のうち、ＣＵＥ＃２，＃３，＃７及び＃８が、ＲＢ＃１によるＰＵＳＣＨ送信が禁止（ＮＧ）される。他のＣＵＥ＃０，＃１及び＃４〜＃６については、ＲＢ＃１によるＰＵＳＣＨ送信が許容（ＯＫ）される。
【０１４７】
したがって、ＰＵＳＣＨスケジューラ１１１Ｂは、或るＲＢ＃ｊのスケジューリングにおいて、送信禁止リストにおいて「ＮＧ」が示されているＣＵＥ２０を当該ＲＢ＃ｊのスケジューリング候補から除外する。なお、ｊは、０以上の整数であり、例示的に、ｊ＝０〜８のいずれかである。
【０１４８】
以上のようにして、無線基地局１０（ＰＵＳＣＨスケジューラ１１１Ｂ）は、Ｄ２Ｄ通信用に割り当てたＲＢと重複しないＲＢを選んでＣＵＥ２０に割り当てることができる。
【０１４９】
図１０の説明に戻り、処理Ｐ２３においてＲＢ＃２をＣＵＥ＃３に割り当てることが決定すると、無線基地局１０は、ＲＢ＃２を示すリソース割当情報を含むＵＬグラントを生成してＰＤＣＣＨにてＣＵＥ＃３宛に送信する（処理Ｐ２４）。
【０１５０】
ＣＵＥ＃３は、ＰＤＣＣＨ復調部２３２（図９参照）によりＵＬグラントの受信、復調及び復号に成功すると、図６に例示したように４ｍｓ後に、当該ＵＬグラントが示すＲＢ＃２を用いてＵＬ送信（ＰＵＳＣＨ信号の送信）を行なう（処理Ｐ２５）。
【０１５１】
このとき、例えばＤＵＥ＃１が、Ｄ２Ｄ通信用に割り当てられたＰＵＳＣＨリソース（ＲＢ＃１）を用いてＤＵＥ＃２に対するＤ２Ｄデータ信号の送信を行なっても（処理Ｐ２６）、ＲＢが異なるため、干渉は生じない。
【０１５２】
なお、上述した例では、ＤＵＥ＃２が干渉レベル測定と干渉源リソース情報の報告とを行なっているが、当該ＤＵＥ＃２とＤ２Ｄ通信のペアを成す他方のＤＵＥ＃１が、干渉レベル測定と干渉源リソース情報の報告とを行なってもよい。他のＤ２Ｄ通信のペアを成すＤＵＥ２０についても同様である。
【０１５３】
以上のようにして、セルラー通信とＤ２Ｄとの干渉を回避することができる。したがって、Ｄ２Ｄ通信の受信側のＤＵＥ２０（例えば、ＤＵＥ＃２）は、セルラー通信の干渉成分を含まないか、含んでもＤ２Ｄ通信にとって十分な品質のデータ信号を送信側のＤＵＥ２０（例えば、ＤＵＥ＃１）から受信できる。
【０１５４】
また、Ｄ２Ｄ通信の送信側ＤＵＥ２０は、データ送信を行なっても受信側ＤＵＥ２０で正しく受信される確率の低い周波数リソースを用いた送信を行なわないので、不必要なデータ送信によって周辺の通信に干渉を与えてしまうことを回避できる。別言すると、送信側ＤＵＥ２０が、他の通信の干渉源となることを回避できる。「他の通信」とは、例示的に、送信側ＤＵＥ２０の近傍に位置するＣＵＥ２０のセルラー通信や別のＤ２Ｄ通信等である。
【０１５５】
（第２実施形態）
第２実施形態では、既述の第２の干渉回避方法について説明する。第１実施形態では、無線通信システム１において、ＤＵＥ２０から干渉源リソースの報告を受けた無線基地局１０が、干渉源ＣＵＥ２０に対する無線リソースの割り当てを制御した。
【０１５６】
これに対し、第２実施形態（第２の干渉回避方法）では、無線通信システム１において、無線基地局１０が、干渉源ＣＵＥ２０の識別子（例えば、Ｃ−ＲＮＴＩ）をＤＵＥ２０に送信（「通知」と称してもよい。）する。
【０１５７】
ＤＵＥ２０は、無線基地局１０から通知されたＣ−ＲＮＴＩを用いて干渉源ＣＵＥ２０宛のＵＬグラントの復号を試行し、ＵＬグラントが示すリソース割当情報に対応する周波数リソースではＤ２Ｄ通信を行なわない。
【０１５８】
以下、第２の干渉回避方法を実現する無線通信システム１（無線基地局１０、ＤＵＥ２０及びＣＵＥ２０）の構成例について、図１２〜図１４を参照して説明する。図１２は、無線基地局１０の構成例を示すブロック図であり、図１３は、ＤＵＥ２０（２０Ｄ）の構成例を示すブロック図であり、図１４は、ＣＵＥ２０（２０Ｃ）の構成例を示すブロック図である。
【０１５９】
（無線基地局１０の構成例）
図１２に例示する無線基地局１０は、図７に例示した構成と同様に、スケジューラ１１１、ＰＤＳＣＨ生成部１１２Ａ、ＰＤＣＣＨ（ＵＬグラント）生成部１１２Ｂ、物理チャネル多重部１１３、送信ＲＦ部１１４、及び、送信アンテナ１１５を備える。
【０１６０】
図１２に例示する構成では、ＰＵＳＣＨスケジューラ１１１Ｂが、ＣＵＥ２０に対するＳＲＳ用のリソース割当情報と、干渉源ＣＵＥ２０のＣ−ＲＮＴＩとを、ＰＤＳＣＨ生成部１１２Ａに与えることができる点で、図７に例示した構成と相違する。
【０１６１】
ＰＵＳＣＨスケジューラ１１１Ｂは、ＣＵＥ２０に対して当該ＣＵＥ２０がＳＲＳ送信に用いる無線リソース（以下「ＳＲＳリソース」と称することがある。）の割り当てを行なう。また、ＰＵＳＣＨスケジューラ１１１Ｂは、ＤＵＥ２０が送信した干渉源リソース情報を、ＰＵＳＣＨ復調部１２３を通じて受信すると、ＳＲＳリソースの割り当て履歴を参照し、干渉源リソース情報が示すＳＲＳリソースを割り当てたＣＵＥ２０を特定する。当該ＣＵＥ２０は、「干渉源ＣＵＥ２０」と称してよい。
【０１６２】
ＳＲＳリソースの割り当て履歴は、「ＳＲＳスケジューリング履歴」と称してもよい。「ＳＲＳスケジューリング履歴」は、例示的に、ＰＵＳＣＨスケジューラ１１１Ｂに備えられたメモリ（図示省略）に記憶されてよい。
【０１６３】
干渉源ＣＵＥ２０が特定（識別）されると、ＰＵＳＣＨスケジューラ１１１Ｂは、干渉源ＣＵＥ２０の識別子（例えば、Ｃ−ＲＮＴＩ）を、ＰＤＳＣＨ生成部１１２Ａを通じてＰＤＳＣＨにて、干渉源リソース情報の送信元ＤＵＥ２０宛に送信する。
【０１６４】
したがって、図１２のＰＤＳＣＨ生成部１１２Ａは、ＳＲＳ用のリソース割当情報を含むＰＤＳＣＨ信号と、干渉源ＣＵＥ２０のＣ−ＲＮＴＩを含むＰＤＳＣＨ信号と、をそれぞれ生成可能である点で、図７のＰＤＳＣＨ生成部１１２Ａと相違する。
【０１６５】
別言すると、図１２に例示する無線基地局１０は、ＣＵＥ２０宛のＳＲＳリソースの割当情報と、ＤＵＥ２０宛の干渉源ＣＵＥ２０のＣ−ＲＮＴＩとを、ＰＤＳＣＨにて送信可能である点で、図７に例示した構成と相違している。
【０１６６】
そのため、図１２のＰＤＳＣＨ生成部１１２Ａ、物理チャネル多重部１１３及び送信ＲＦ部１１４は、ＳＲＳリソースの割当情報や、干渉源ＣＵＥ２０のＣ−ＲＮＴＩをＤＵＥ２０へ送信する送信部の一例を成すと捉えてよい。
【０１６７】
その他の構成や機能は、図７に例示した構成と同一若しくは同様であってよい。
【０１６８】
（ＤＵＥ２０Ｄの構成例）
図１３に例示するＤＵＥ２０Ｄは、図８に例示した構成に比して、ＰＤＣＣＨ復調部２３２を追加的に備える点が相違する。また、ＰＤＳＣＨ復調部２３１が、無線基地局１０からＰＤＳＣＨにて送信された干渉源ＣＵＥ２０のＣ−ＲＮＴＩを復調、復号することが可能な点で、図８に例示したＰＤＳＣＨ復調部２３１と相違している。
【０１６９】
図１３の受信ＲＦ部２２１及びＰＤＳＣＨ復調部２３１は、無線基地局１０から干渉源ＣＵＥ２０の識別情報を受信する第２受信部の一例であると捉えてよい。ＰＤＳＣＨ復調部２３１で得られたＣ−ＲＮＴＩは、ＰＤＣＣＨ復調部２３２に与えられる。
【０１７０】
ＰＤＣＣＨ復調部２３２は、ＰＤＳＣＨ復調部２３１からのＣ−ＲＮＴＩを用いて、干渉源ＣＵＥ２０宛に無線基地局１０から送信された、ＵＬグラントを含むＰＤＣＣＨ信号を復調、復号することができる。ＵＬグラントの復調、復号に成功すると、当該ＵＬグラントが示す、干渉源ＣＵＥ２０のリソース割当情報がスケジューラ２６１に与えられる。
【０１７１】
スケジューラ２６１は、ＰＤＣＣＨ復調部２３２から受信した、干渉源ＣＵＥ２０のリソース割当情報が示す周波数リソースではＤ２Ｄ通信を抑止するよう、Ｄ２Ｄデータ信号復調部２５１及びＤ２Ｄデータ信号生成部２６４を制御する。
【０１７２】
その他の構成や機能は、図８に例示した構成と同一若しくは同様であってよい。
【０１７３】
（ＣＵＥ２０Ｃの構成例）
図１４に例示するＣＵＥ２０Ｃは、図９に例示した構成に比して、ＰＤＳＣＨ復調部２３１、ＳＲＳ生成部２７１及び物理チャネル多重部２７２を追加的に備える点が相違する。
【０１７４】
ＰＤＳＣＨ復調部２３１は、受信ＲＦ部２２１からのＢＢ信号に対して復調処理を施すことにより、無線基地局１０が送信したＰＤＳＣＨ信号を復調する。復調したＰＤＳＣＨ信号がＳＲＳ用のリソース割当情報を示す場合、当該リソース割当情報は、ＳＲＳ生成部２７１に与えられる。
【０１７５】
ＳＲＳ生成部２７１は、ＳＲＳ用のリソース割当情報が示す周波数リソースにて送信されるべきＳＲＳを生成する。
【０１７６】
物理チャネル多重部２７２は、ＳＲＳ生成部で生成されたＳＲＳと、ＰＵＳＣＨ生成部で生成されたＰＵＳＣＨ信号と、を多重化して送信ＲＦ部２２４に出力する。当該多重化において、ＳＲＳは、例えば図４に例示したように、サブフレームの最終シンボルにおいて櫛歯状に周波数多重されて送信されるように多重化される。
【０１７７】
その他の構成や機能は、図９に例示した構成と同一若しくは同様であってよい。
【０１７８】
（動作例）
以下、上述のごとく構成された第２実施形態の無線通信システム１における、セルラー通信とＤ２Ｄ通信との干渉回避方法の一例について、図１５に例示するシーケンス図を参照して説明する。
【０１７９】
図１５に例示するように、無線基地局１０は、Ｄ２Ｄスケジューラ１１１Ａによって、予めＤ２Ｄ通信用の周波数リソース（Ｄ２Ｄリソース）の設定を行なう（処理Ｐ３１）。図１５には、非限定的な一例として、１０個のＲＢ＃０〜＃９がＤ２Ｄリソースに設定される様子を例示している。
【０１８０】
Ｄ２Ｄリソースの設定完了後に、例えばＤＵＥ＃１が、Ｄ２Ｄリソースの割当要求を無線基地局１０に送信したとする（処理Ｐ３２）。Ｄ２Ｄリソースの割当要求は、例えば、図１３に例示したスケジューラ２６１及びＰＵＳＣＨ生成部２４２を通じて送信アンテナ２１４からＰＵＳＣＨにて送信される。
【０１８１】
無線基地局１０は、ＤＵＥ＃１が送信したＤ２Ｄリソースの割当要求をＰＵＳＣＨ復調部１２３にて受信、復調し、復調したＤ２Ｄリソースの割当要求をＤ２Ｄスケジューラ１１１Ａに与える。Ｄ２Ｄスケジューラ１１１Ａは、Ｄ２Ｄリソースの割当要求の受信に応じて、Ｄ２Ｄ通信リソースに設定したＲＢ＃０〜ＲＢ＃９のうちのいずれか（例示的に、ＲＢ＃１）をＤＵＥ＃１に対して割り当てることを決定する（処理Ｐ３３）。Ｄ２Ｄリソースの割り当ては、第１実施形態と同様に、動的でもよいが、無線基地局１０とＤＵＥ２０との間の通信量をなるべく抑えるために、「準静的」であってよい。
【０１８２】
ＲＢ＃１の割り当て決定に応じて、無線基地局１０は、ＲＢ＃１のリソース割当情報を例えばＰＤＳＣＨにてＤＵＥ＃１宛に送信する（処理Ｐ３４）。当該リソース割当情報を含むＰＤＳＣＨ信号は、例えば図１２に例示したＰＤＳＣＨ生成部１１２Ａによって生成される。当該リソース割当情報のＰＤＳＣＨ信号による送信は、無線リソース制御（ＲＲＣ）の一例であると捉えてよい。
【０１８３】
ＤＵＥ＃１は、Ｄ２Ｄリソース（ＲＢ＃１）のリソース割当情報を受信した後、ＤＳ生成部２６３（図１３参照）によってＤＳを生成して送信する（処理Ｐ３５）。当該ＤＳは、図１５の例では、ＤＵＥ＃２にて受信される。
【０１８４】
ＤＵＥ＃２は、当該ＤＳをＤＳ検出部２５２（図１３参照）にて検出すると、ＤＳ応答生成部２６２によってＤＳ応答信号を生成してＤＵＥ＃１宛に送信する（処理Ｐ３６）。ＤＵＥ＃１は、ＤＳ応答信号の受信をＤＳ応答検出部２５３にて検出すると、当該ＤＳ応答信号の送信元ＤＵＥ＃２とＤ２Ｄ通信のペアを形成する。
【０１８５】
一方、無線基地局１０は、ＣＵＥ２０（例えば、ＣＵＥ＃３）がＳＲＳを送信するのに用いる無線リソースの割り当てを決定する（処理Ｐ３７）。ＳＲＳ送信用の無線リソースの割り当ても「準静的」であってよい。
【０１８６】
ＳＲＳ送信用の無線リソースの割り当て決定に応じて、無線基地局１０は、ＳＲＳ送信用のリソース割当情報を例えばＰＤＳＣＨにてＣＵＥ＃３宛に送信する（処理Ｐ３８）。当該ＳＲＳ送信用のリソース割当情報（以下「ＳＲＳ用リソース割当情報」と称することがある。）を含むＰＤＳＣＨ信号は、例えば図１２に例示したＰＤＳＣＨ生成部１１２Ａによって生成される。ＳＲＳ用リソース割当情報を含むＰＤＳＣＨ信号の送信は、無線リソース制御（ＲＲＣ）の一例であると捉えてよい。
【０１８７】
ＣＵＥ＃３は、無線基地局１０からＰＤＳＣＨにて送信されたＳＲＳ用リソース割当情報をＰＤＳＣＨ復調部２３１（図１４参照）にて復調する。復調されたＳＲＳ用リソース割当情報を基に、ＣＵＥ＃３は、ＳＲＳ生成部２７１によってＳＲＳを生成して送信する（処理Ｐ３９）。
【０１８８】
ここで、ＣＵＥ＃３が送信するＳＲＳは、ＤＵＥ＃１−ＤＵＥ＃２間のＤ２Ｄ通信の干渉となり得る。例えば、ＤＵＥ＃２は、Ｄ２Ｄ通信に対する、ＣＵＥ＃３が送信するＳＲＳの干渉レベルを測定し、相対的に干渉レベルの高いＳＲＳリソース（干渉源リソース）を干渉源リソース検出部２４１（図１３参照）にて検出する（処理Ｐ４０）。
【０１８９】
図４に例示したようにＳＲＳがサブフレームの最終シンボル（サブバンド）に櫛歯状に周波数多重されて送信される場合、相対的に干渉レベルの高いサブフレーム及びサブバンドが干渉源リソースとして検出される。ＤＵＥ＃２は、検出したサブフレーム及びサブバンドを示す干渉源リソース情報（例えば、ＲＢ番号及び櫛歯番号）を例えばＰＵＳＣＨにて無線基地局１０に報告する（処理Ｐ４１）。干渉源リソース情報を含むＰＵＳＣＨ信号は、図１３に例示したＰＵＳＣＨ生成部２４２にて生成される。
【０１９０】
無線基地局１０は、図１２に例示したＰＵＳＣＨ復調部１２３にて干渉源リソース情報を受信、復調すると、当該干渉源リソース情報をスケジューラ１１１（ＰＵＳＣＨスケジューラ１１１Ｂ）に与える。ＰＵＳＣＨスケジューラ１１１Ｂは、ＳＲＳスケジューリング履歴を参照して、干渉源リソース情報が示すＳＲＳリソースを割り当てた、ＤＵＥ＃１にとっての干渉源ＣＵＥ＃３を特定する（処理Ｐ４２）。
【０１９１】
干渉源ＣＵＥ＃３が特定されると、無線基地局１０は、ＰＵＳＣＨスケジューラ１１１Ｂ及びＰＤＳＣＨ生成部１１２Ａによって、干渉源ＣＵＥ＃３のＣ−ＲＮＴＩをＰＤＳＨＣにてＤＵＥ＃２宛に送信する（処理Ｐ４３）。
【０１９２】
ＤＵＥ＃２は、干渉源ＣＵＥ＃３のＣ−ＲＮＴＩを無線基地局１０から受信すると、以後、無線基地局１０が干渉源ＣＵＥ＃３宛に送信するＵＬグラントの復調、復号を試行できる状態となる。
【０１９３】
一方、無線基地局１０は、ＣＵＥ＃３からＵＬグラントの送信要求を受信すると、ＰＵＳＣＨスケジューラ１１１Ｂ（図１２参照）によって、当該ＣＵＥ＃３がＵＬ送信に使用してよい周波数リソースの割り当てを決定する（処理Ｐ４４）。図１５の例では、ＲＢ＃１がＣＵＥ＃３に割り当てられる。
【０１９４】
ＣＵＥ＃３に割り当てる周波数リソースＲＢ＃１が決定すると、無線基地局１０は、ＲＢ＃１を示すリソース割当情報を含むＵＬグラントをＵＬグラント生成部１１２Ｂによって生成して例えばＰＤＣＣＨにてＣＵＥ＃３宛に送信する（処理Ｐ４５）。
【０１９５】
ＣＵＥ＃３は、ＰＤＣＣＨ復調部２３２（図１４参照）によりＵＬグラントの受信、復調及び復号に成功すると、図６に例示したように４ｍｓ後に、当該ＵＬグラントが示すＲＢ＃１を用いてＵＬ送信（ＰＵＳＣＨ信号の送信）を行なう（処理Ｐ４６）。
【０１９６】
ここで、ＣＵＥ＃３宛のＵＬグラントを含むＰＤＣＣＨ信号は、無線基地局１０のセル１００（図１参照）内に位置するＤＵＥ＃２でも受信される。ＤＵＥ＃２は、処理Ｐ４３で受信した干渉源ＣＵＥ＃３のＣ−ＲＮＴＩを用いて、ＣＵＥ＃３宛のＰＤＣＣＨ信号の復号をＰＤＣＣＨ復調部２３２（図１３参照）によって試行する。復号に成功すると、ＤＵＥ＃２は、無線基地局１０がＣＵＥ＃３にＵＬのセルラー通信のために割り当てた周波数リソースＲＢ＃１の割当情報を取得できる（処理Ｐ４７）。
【０１９７】
したがって、ＤＵＥ＃２は、ＣＵＥ＃３に無線基地局１０が割り当てたＲＢ＃１を使用してＤＵＥ＃１宛にＤ２Ｄ通信の送信を行なうと、干渉が生じる可能性のあることを認識できる。よって、ＤＵＥ＃２は、ＲＢ＃１を用いたＤ２Ｄ通信の送信（ＰＵＳＣＨ送信）は行なわない（処理Ｐ４８）。代替的に、ＤＵＥ＃１は、ＲＢ＃１と重複しない他の周波数リソースを用いてＤＵＥ＃２宛の送信（ＰＵＳＣＨ送信）を行なってよい。
【０１９８】
Ｄ２Ｄ通信の送信データの制御は、例えば、スケジューラ２６１（図１３参照）が、ＲＢ＃１と重複する周波数リソース（ＲＢ）を避けるようにして、Ｄ２Ｄデータ信号生成部２６４に与えるＤ２Ｄデータのスケジューリングを行なうことで実施されてよい。
【０１９９】
別言すると、ＤＵＥ＃２は、ＣＵＥ＃３宛のＵＬグラントが示す周波数リソースとは異なるＲＢ（Ｄ２Ｄリソース）であれば、当該Ｄ２Ｄリソースを用いてＤＵＥ＃２宛の送信を行なってよい。
【０２００】
例えば、図１５の処理Ｐ４９〜Ｐ５３に例示するように、ＣＵＥ＃３宛のＵＬグラントがＲＢ＃２を示す場合、ＤＵＥ＃２は、ＲＢ＃１を用いてＤ２Ｄ通信（ＰＵＳＣＨ送信）を行なってもセルラー通信との干渉は生じない。したがって、ＤＵＥ＃２は、ＲＢ＃１を用いてＤＵＥ＃１宛のＰＵＳＣＨ送信を行なってよい。
【０２０１】
なお、ＤＵＥ＃２とＤ２Ｄ通信のペアを成すＤＵＥ＃１も、上述したＤＵＥ＃２での処理と同様にして、ＣＵＥ＃３がセルラー通信に用いるＲＢ＃１の使用を避けてＤ２Ｄ通信の送信を行なうことができる。他のＤ２Ｄ通信のペアを成すＤＵＥ２０についても同様である。
【０２０２】
また、図１５により上述した例では、ＤＵＥ２０での干渉レベル測定の対象がＳＲＳである場合について示したが、第１実施形態と同様に、ＰＵＳＣＨ信号をＤＵＥ２０での干渉レベル測定の対象としてもよい。別言すると、第１実施形態と第２実施形態とを組み合わせて実施してもよい。
【０２０３】
更に、図１５により上述した例では、無線基地局１０から干渉源ＣＵＥ２０のＣ−ＲＮＴＩを受信したＤＵＥ２０が、干渉源ＣＵＥ２０宛のＵＬグラントの復号を試行するが、ＤＵＥ２０は、ＵＬグラントの復号を試行せずに一時的にＤ２Ｄ通信を抑止してもよい。
【０２０４】
以上のようにして、セルラー通信とＤ２Ｄとの干渉を回避することができる。したがって、Ｄ２Ｄ通信の受信側のＤＵＥ２０（例えば、ＤＵＥ＃１）は、セルラー通信の干渉成分を含まないか、含んでもＤ２Ｄ通信にとって十分な品質のデータ信号を送信側のＤＵＥ２０（例えば、ＤＵＥ＃２）から受信できる。
【０２０５】
また、Ｄ２Ｄ通信の送信側ＤＵＥ２０は、データ送信を行なっても受信側ＤＵＥ２０で正しく受信される確率の低い周波数リソースを用いた送信を行なわないので、不必要なデータ送信によって周辺の通信に干渉を与えてしまうことを回避できる。別言すると、送信側ＤＵＥ２０が、他の通信の干渉源となることを回避できる。「他の通信」とは、例示的に、送信側ＤＵＥ２０の近傍に位置するＣＵＥ２０のセルラー通信や別のＤ２Ｄ通信等である。
【０２０６】
以上説明したように、上述した各実施形態によれば、セルラー通信がＤ２Ｄ通信に与える干渉を回避しながら、それぞれの通信で無線リソース（例えば、周波数リソース）を共用できるので、無線通信システム１のシステム容量を増大できる。
【０２０７】
別言すると、無線通信システム１においてＤ２Ｄ通信とセルラー通信とが効率良く共存できるので、無線通信性能を向上できる。
【０２０８】
なお、上述した例では、セルラー通信とＤ２Ｄ通信とで共用される（別言すると、干渉の発生し得る）無線リソースの一例として、ＵＬの周波数リソースを例にしたが、ＤＬの周波数リソースであってもよいし、時間リソースであってもよい。
【符号の説明】
【０２０９】
１  無線通信システム
１０  無線基地局
１１１  スケジューラ
１１１Ａ  Ｄ２Ｄスケジューラ
１１１Ｂ  ＰＵＳＣＨスケジューラ
１１２Ａ  ＰＤＳＣＨ生成部
１１２Ｂ  ＰＤＣＣＨ（ＵＬグラント）生成部
１１３  物理チャネル多重部
１１４  送信ＲＦ部
１１５  送信アンテナ
１２１  受信アンテナ
１２２  受信ＲＦ部
１２３  ＰＵＳＣＨ復調部
２０−１〜２０−Ｎ，２０Ｃ，２０Ｄ  移動局（ＵＥ、ＣＵＥ、ＤＵＥ）
２１１，２１２，２１３  受信アンテナ
２１４，２１５  送信アンテナ
２２１，２２２，２２３  受信ＲＦ部
２２４，２２５  送信ＲＦ部
２３１  ＰＤＳＣＨ復調部
２３２  ＰＤＣＣＨ復調部
２４１  干渉源リソース検出部
２４２  ＰＵＳＣＨ生成部
２５１  Ｄ２Ｄデータ信号復調部
２５２  ＤＳ検出部
２５３  ＤＳ応答検出部
２６１  スケジューラ
２６２  ＤＳ応答生成部
２６３  ＤＳ生成部
２６４  Ｄ２Ｄデータ信号生成部
２６５  切替部
２７１  ＳＲＳ生成部
２７２  物理チャネル多重部
【図１】
2015194015.tif 000003
【図２】
2015194015.tif 000004
【図３】
2015194015.tif 000005
【図４】
2015194015.tif 000006
【図５】
2015194015.tif 000007
【図６】
2015194015.tif 000008
【図７】
2015194015.tif 000009
【図８】
2015194015.tif 000010
【図９】
2015194015.tif 000011
【図１０】
2015194015.tif 000012
【図１１】
2015194015.tif 000013
【図１２】
2015194015.tif 000014
【図１３】
2015194015.tif 000015
【図１４】
2015194015.tif 000016
【図１５】
2015194015.tif 000017
【国際調査報告】
2015194015.tif 000018
2015194015.tif 000019
2015194015.tif 000020
2015194015.tif 000021